(57)【特許請求の範囲】
【請求項１】
通信システムにおけるユーザ装置がシーケンスを用いて信号を送信する方法であって、前記信号送信は、周波数ドメインで多数の資源ブロックに亘って、及び、時間ドメインで多数のシンボルに亘ってなされ、
前記多数の資源ブロックの個数が、所定値より小さい場合には、単一シーケンスを用いて前記信号を送信するステップと、
前記多数の資源ブロックの個数が、前記所定の値以上の場合には、上位階層から提供された情報に基づいてシーケンスホッピングが適用されたシーケンスを用いて前記信号を送信するステップと、
を含むことを特徴とするシーケンス割り当て方法。
【請求項２】
前記多数の資源ブロックの個数が、前記所定の値以上の場合には、前記シーケンスホッピングが適用されるか否かを示す前記情報を受信するステップをさらに含むことを特徴とする請求項１に記載の信号送信方法。
【請求項３】
前記シーケンスホッピングは、疑似乱数関数（Ｐｓｅｕｄo random function）を用いて遂行されることを特徴とする請求項１または２に記載の信号送信方法。
【請求項４】
前記所定の値は、６であることを特徴とする請求項１乃至３のいずれか一項に記載の信号送信方法。
【請求項５】
前記信号は、基準信号を含むことを特徴とする請求項１乃至４のいずれか一項に記載の信号送信方法。
【請求項６】
前記シーケンスホッピングは、スロットごとに遂行されることを特徴とする請求項１乃至５のいずれか一項に記載の信号送信方法。
【請求項７】
前記シーケンスは、ＣＡＺＡＣ−基盤シーケンスを含むことを特徴とする請求項１乃至６のいずれか一項に記載のシーケンス割り当て方法。
【請求項８】
通信システムにおけるシーケンスを用いて信号を送信する装置であって、前記信号送信は周波数ドメインで多数の資源ブロックに亘って、及び、時間ドメインで多数のシンボルに亘ってなされ、
基地局に前記信号を送信する送信機と、
前記多数の資源ブロックの個数が所定値より小さい場合には、単一シーケンスを用いて前記信号を送信し、前記多数の資源ブロックの個数が前記所定の値以上の場合には、上位階層から提供された情報に基づいてシーケンスホッピングが適用されたシーケンスを用いて前記信号を送信する動作を制御する制御機と、
を含むことを特徴とする信号送信装置。
【請求項９】
前記基地局から提供される情報を受信する受信機をさらに含み、
前記制御機は、前記多数の資源ブロックの個数が、前記所定の値以上の場合には、前記基地局から前記シーケンスホッピングが適用されるか否かを示す前記情報を受信する動作をさらに制御することを特徴とする請求項８に記載の信号送信装置。
【請求項１０】
前記シーケンスホッピングは、疑似乱数関数（Ｐｓｅｕｄo random function）を用いて遂行されることを特徴とする請求項８または９に記載の信号送信装置。
【請求項１１】
前記所定の値は、６であることを特徴とする請求項８乃至１０のいずれか一項に記載の信号送信装置。
【請求項１２】
前記信号は、基準信号を含むことを特徴とする請求項８乃至１１のいずれか一項に記載の信号送信装置。
【請求項１３】
前記シーケンスホッピングは、スロットごとに遂行されることを特徴とする請求項８乃至１２のいずれか一項に記載の信号送信装置。
【請求項１４】
前記シーケンスは、ＣＡＺＡＣ−基盤シーケンスを含むことを特徴とする請求項８乃至１３のいずれか一項に記載の信号送信装置。
【発明の詳細な説明】
【技術分野】
【０００１】
本発明は、無線通信システムに関し、より具体的には第３世代のパートナーシッププロジェクト（３ＧＰＰ）Ｅ−ＵＴＲＡ（Evolved Universal Terrestrial Radio Access）ＬＴＥ（long term evolution）の開発で合わせて考慮される単一搬送波周波数分割多重接続（Single-Carrier Frequency Division Multiple Access：ＳＣ−ＦＤＭＡ）通信システムに関する。
【背景技術】
【０００２】
ＳＣ−ＦＤＭＡ通信システムで送信される基準信号（ＲＳ）、または、制御信号を構成するに当たって、使われるシーケンスに対するホッピングの機能性と実現のための方法と装置が検討されている。
【０００３】
モバイルユーザ装置（ＵＥ）からサービング基地局（Ｎｏｄｅ Ｂ）への信号送信に対応する通信システムのアップリンク（ＵＬ）を仮定すると、一般に、端末機または移動局とも呼ばれるＵＥは、固定または移動性であることがあり、無線装置、セルラーホン、パーソナルコンピュータ装置、無線モデムカードなどとなることがある。一般に、Ｎｏｄｅ Ｂは、固定局であり、また基地送受信システム（ＢＴＳ）、アクセスポイント、または一定の他の用語で呼ばれることがある。従来の技術分野で知られたように、ノードＢは、セルラー通信システムの多数のセルを制御することができる。
【０００４】
通信システムの適切な機能性のために、種々の信号がサポートされる必要がある。通信の情報コンテンツを伝達するデータ信号に付加して、制御信号もＵＥから自身のサービングＮｏｄｅ ＢへのＵＬで送信される必要がある。また、制御信号は、サービングＮｏｄｅ ＢからＵＥへの通信システムのダウンリンク（ＤＬ）で送信される必要がある。ＤＬとは、Ｎｏｄｅ ＢからＵＥへの通信をいう。付加的に、データ送信または制御送信を有するＵＥは、またパイロットとして知られたＲＳを送信する。このようなＲＳは、主としてＵＥにより送信されたデータまたは制御信号に対するコヒーレント復調を提供する役目をする。
【０００５】
ＵＥは、送信時間間隔（ＴＴＩ）に亘ってデータまたは制御信号を送信すると仮定され、送信時間間隔（ＴＴＩ）はサブフレームに対応する。サブフレームはフレームの時間単位であり、フレームは１０個のサブフレームから構成される。図１は、サブフレーム構造１１０のブロック図を図示する。サブフレーム１１０は、２つのスロットを含む。各スロット１２０は、データまたは制御信号の送信で使われる７個のシンボルを更に含む。各シンボル１３０は、チャンネル伝播効果による干渉を緩和させるために循環プリフィクス（ＣＰ）を更に含む。第１のスロットでの信号送信は、第２のスロットでの信号送信と同一な動作帯域幅（ＢＷ）部分でなされるか、他の動作帯域幅部分でなされることができる。データまたは制御情報を運搬するシンボルに付加して、基準信号（ＲＳ）送信１４０のための所定のシンボルが使われる。
【０００６】
送信ＢＷは、ここで資源ブロック（ＲＢ）と称される周波数資源ユニットを含むように仮定される。各ＲＢは、１２個の副搬送波から構成され、ＵＥには、物理的アップリンク共有チャンネル（ＰＵＳＣＨ）の送信のための多数のＮ個の連続的なＲＢ１５０と、物理的アップリンク制御チャンネル（ＰＵＣＣＨ）の送信のための１つのＲＢが割り当てられる。
【０００７】
データまたは制御信号送信が、多数のＵＥにより（直交的に）共有可能なＢＷに亘ってなされるため、対応する物理層チャンネルは、各々ＰＵＳＣＨまたはＰＵＣＣＨと称される。図１は、ＰＵＳＣＨサブフレーム構造を説明し、ＰＵＣＣＨサブフレーム構造は後述する。
【０００８】
また、ＵＥは、データ信号無しで制御信号を送信すると仮定される。制御信号は、ポジティブまたはネガティブ承認信号（各々ＡＣＫまたはＮＡＫである）、及び、チャンネル品質表示（ＣＱＩ）信号を含むが、これに限定されるものではない。ＡＣＫ／ＮＡＫ信号は、各々通信システムのＤＬでＵＥによる正確または不正確なデータパケット信号に応答するものである。ＣＱＩ信号は、ＵＥにより送信され、ＣＱＩ信号は、サービングＮｏｄｅ Ｂに信号−対−干渉雑音比（ＳＩＮＲ）条件を知らせることによって、サービングＮｏｄｅ Ｂが、通信システムのＤＬでチャンネル従属スケジューリングを遂行する。ＡＣＫ／ＮＡＫとＣＱＩ信号の両方は、Ｎｏｄｅ Ｂ受信機でコヒーレント復調を可能にするために、ＲＳ信号により伴われる。ＡＣＫ／ＮＡＫまたはＣＱＩ制御信号を運搬する物理層チャンネルは、ＰＵＣＣＨと称される。
【０００９】
この技術分野で知られた事項として、または後述する事項として、ＡＣＫ／ＮＡＫ、ＣＱＩ、及び関連ＲＳ信号は、ＣＡＺＡＣシーケンスを用いて１ＲＢでＵＥにより送信されることと仮定される。
【００１０】
図２は、ＳＣ−ＦＤＭＡ通信システムにおいて、１スロット２１０の間のＡＣＫ／ＮＡＫ送信のための構造を示す。ＡＣＫ／ＮＡＫ情報ビット２２０は、“ＣＡＺＡＣ（Constant Amplitude Zero Auto-Correlation）”シーケンスにより、例えば、ＱＰＳＫまたは１６ＱＡＭ変調により変調され（２３０）、以後、後に更に説明されるように、逆高速フーリエ（ＩＦＦＴ）演算が遂行され、ＵＥにより送信される。ＡＣＫ／ＮＡＫに付加して、ＲＳは、Ｎｏｄｅ Ｂ受信機でＡＣＫ／ＮＡＫ信号のコヒーレント復調を可能にするように送信される。各スロットの第３の、第４の、及び第５のＳＣ−ＦＤＭＡシンボルは、ＲＳ２５０を運搬する。
【００１１】
図３は、ＳＣ−ＦＤＭＡ通信システムにおける１スロット（３１０）の間のＣＱＩ送信のための構造を示す。ＡＣＫ／ＮＡＫ送信と同様に、ＣＱＩ情報ビット３２０は、ＣＡＺＡＣシーケンス３４０により、例えば、ＱＰＳＫまたは１６ＱＡＭ変調により変調され（３３０）、以後、後に更に説明されるように、ＩＦＦＴ演算が遂行され、ＵＥにより送信される。ＣＱＩに付加して、ＲＳは、ＣＱＩ信号のＮｏｄｅ Ｂ受信機でのコヒーレント復調を可能にするように送信される。この形態において、各スロットで第２の及び第６のＳＣ−ＦＤＭＡシンボルが、ＲＳ３５０を運搬する。
【００１２】
前述したように、ＡＣＫ／ＮＡＫ、ＣＱＩ、及びＲＳ信号は、ＣＡＺＡＣシーケンスから構成されると仮定される。このようなシーケンスの例には、Zadoff-Chu（ＺＣ）シーケンスがあり、シーケンス要素は下記の＜数式１＞で与えられる。
【００１３】
【数１】
0005539456.tif 000002
【００１４】
Ｌは、ＣＡＺＡＣシーケンスの長さであり、ｎは、シーケンスｎ＝｛０、１、２、．．．Ｌ−１｝の要素インデックスであり、ｋは、シーケンス自体のインデックスである。所定の長さ（Ｌ）において、Ｌが素数の場合には、Ｌ−１個の別のシーケンスがある。したがって、全シーケンスファミリーは、｛１、２、．．．、Ｌ−１｝でのｋ個のセットとして定義される。しかしながら、ＡＣＫ／ＮＡＫ、ＣＱＩ、及びＲＳ送信のために使われるＣＡＺＡＣシーケンスは、下記で更に説明されるように、正確に前述した数式を用いて生成される必要が無いことに注目すべきである。
【００１５】
素数の長さ（Ｌ）のＣＡＺＡＣシーケンスの場合には、シーケンス個数はＬ−１である。ＲＢが、副搬送波の偶数で構成されると仮定する場合（ここで、１ＲＢは、１２個の副搬送波で構成される）には、ＡＣＫ／ＮＡＫ、ＣＱＩ、及びＲＳを送信することに使われるシーケンスは、（例えば、長さ１３の）長さのより長い素数の長さのＣＡＺＡＣシーケンスを切断することによって、または、（循環式延長）の終端部での第１の要素を繰り返して（長さ１１のような）長さのより短い素数の長さＣＡＺＡＣシーケンスを延長することによって、周波数ドメインまたは時間ドメインで生成可能である。しかしながら、結果的なシーケンスは、ＣＡＺＡＣシーケンス定義を充足しなくなる。代案的に、ＣＡＺＡＣシーケンスは、ＣＡＺＡＣの特性を満たすシーケンスに対し、コンピュータ検索を通じて直接的に生成できる。
【００１６】
時間ドメインにおいて、ＣＡＺＡＣ−基盤シーケンスのＳＣ−ＦＤＭＡシグナリングを通じた送信のブロック図が、図４に図示される。選択されたＣＡＺＡＣ−基盤シーケンス４１０は、前述した方法のうちの１つを通じて生成され（ＡＣＫ／ＮＡＫまたはＣＱＩ送信の場合に各ビットにより変調され）、以後、後述するように循環シフトされ（４２０）、結果的なシーケンスの離散フーリエ変換（ＤＦＴ）が獲得され（４３０）、割り当てられた送信帯域幅に対応する副搬送波（４４０）が選択され（４５０）、逆高速フーリエ変換（ＩＦＦＴ）が遂行され（４６０）、最後に、ＣＰ４７０とフィルタリング４８０が、送信信号４９０に適用される。ゼロパッディングは、他のＵＥによる信号送信で使われる副搬送波で、及び保護副搬送波（図示せず）でＵＥにより遂行されることと仮定される。更に、簡略化のために、この技術分野で知られたようなディジタル対アナログ変換器、アナログフィルタ、増幅器、及び送信機アンテナなどの追加的な送信機回路は、図４に図示していない。同様に、ＡＣＫ／ＮＡＫまたはＣＱＩビットでのＣＡＺＡＣシーケンスの変調は、例えばＱＰＳＫ変調などの技術分野でよく知られており、簡略化のために省略された。
【００１７】
受信機において、逆（相補的な）送信機の機能が遂行される。これは、図４の逆の動作が適用される図５で概念的に図示される。この技術分野で知られたように（簡略化のために図示せず）、アンテナはＲＦアンテナ信号を受信し、（フィルタ、増幅器、周波数ダウン−コンバータ、及びアナログ対ディジタル変換器などの）追加的な処理ユニットの以後にディジタル受信された信号５１０は、時間ウィンドウユニット５２０を通過し、ＣＰが除去される（５３０）。後続的に、受信機ユニットは、ＦＦＴ５４０を適用し、送信機により使われた副搬送波５６０を選択し（５５０）、逆ＤＦＴ（ＩＤＦＴ）を適用し（５７０）、ＲＳ信号とＣＱＩ信号５８０を（時間的に）逆多重化し、ＲＳ（図示せず）に基づいたチャンネル推定値を獲得した以後に、受信機は、ＣＱＩビット（５９０）を抽出する。送信機の場合に、チャンネル推定、復調、及びデコーディングなどの公知の受信機の機能は簡略化のために図示していない。
【００１８】
送信されるＣＡＺＡＣシーケンスのための代案的な生成方法は、周波数ドメインで遂行される。これは、図６に図示される。周波数ドメインで送信されるＣＡＺＡＣシーケンスの生成は、２つの例外を除いては、時間ドメインでのステップと同一ステップに従う。ＣＡＺＡＣシーケンスの周波数ドメインバージョンが使われて（６１０）（即ち、ＣＡＺＡＣシーケンスのＤＦＴは事前演算され、送信機チェーンには含まれない）、ＩＦＦＴ６４０の以後に循環シフト６５０が適用される。割り当てられた送信ＢＷに対応する副搬送波６３０が選択され（６２０）、送信信号６８０に対してＣＰ６６０とフィルタリング６７０が適用され、他の従来機能（図示せず）は図４で前述した通りである。
【００１９】
また、図６のように送信されたＣＡＺＡＣ−基盤シーケンスの受信に対し、逆機能が遂行される。これは、図７に図示される。受信信号７１０は、時間ウィンドウユニット７２０を通過し、ＣＰが除去される（７３０）。後続的に、循環シフトが復元され（７４０）、ＦＦＴ７５０が適用され、送信された副搬送波７６０が選択される（７６５）。また、図７は、ＣＡＺＡＣ−基盤シーケンスの複製物７８０との後続的な相関（７７０）を図示する。最後に、出力７９０が獲得される。ここで、出力がＲＳの場合には、チャンネル推定ユニット、例えば時間−周波数挿入器に送られ、または、ＣＡＺＡＣ−基盤シーケンスがＡＣＫ／ＮＡＫあるいはＣＱＩ情報ビットにより変調された場合には、送信情報を検出するように使用できる。
【００２０】
図４または図６での送信されたＣＡＺＡＣ−基盤シーケンスは、任意の情報（データまたは制御）により変調できないことがあり、これは以後、例えば図２及び図３に図示されたように、ＲＳとしての役目をすることができる。
【００２１】
同一ＣＡＺＡＣシーケンスでの相異する循環シフトは、直交ＣＡＺＡＣシーケンスを提供する。したがって、同一なＣＡＺＡＣシーケンスの相異する循環シフトは、ＲＳまたはＡＣＫ／ＮＡＫ、またはＣＱＩ送信のための同一なＲＢで互いに異なるＵＥに割り当て可能であり、これによって直交ＵＥ多重化が達成できる。このような原理は図８で図示される。
【００２２】
図８を参照すれば、同一なルートＣＡＺＡＣシーケンスの多数の循環シフト８２０、８４０、８６０、８８０に対応して生成された多数のＣＡＺＡＣシーケンス８１０、８３０、８５０、８７０が直交になるために、循環シフト値（△）８９０は、チャンネル伝播遅延拡散（Ｄ）（これは、時間不確定性誤差及びフィルタこぼれ効果を含む）を超過しなければならない。Ｔｓが、１シンボル期間の場合には、循環シフトの個数は、Ｔｓ／Ｄ比の数学的フロア（floor）と一致する。長さ１２のＣＡＺＡＣシーケンスの場合には、可能な循環シフトの個数は１２であり、約６６マイクロセカンドのシンボル期間の場合（１ミリセカンドサブフレームで１４個のシンボルがある）には、連続的な循環シフトの時間差は、約５．５マイクロセカンドである。代案的に、多重経路伝播に対し、より良好な保護を提供するために、１つずつ飛び越えた（１２個のうちの６個）循環シフトのみ使われて、約１１マイクロセカンドの時間差を提供する。
【００２３】
同一長さのＣＡＺＡＣ−基盤シーケンスは、典型的に良好な相互−相関特性（低い相互−相関値）を有するが、これは同期通信システムにおける相互干渉の影響を最小化し、その受信性能を改善するために重要である。よく知られたように、長さＬのＺＣシーケンスは，√Ｌの最適相互−相関を有する。しかしながら、切断あるいは延長がＺＣシーケンスに適用される場合、あるいはＣＡＺＡＣ−基盤シーケンスがコンピュータ検索を通じて生成される場合には、この特性が有効でない。さらに、相異する長さのＣＡＺＡＣ−基盤シーケンスは、広い分布の相互−相関値を有し、時々大きい値が発生して干渉増加をもたらす。
【００２４】
図９は、長さ−１２のＣＡＺＡＣ−基盤シーケンスに対する相互−相関値の累積密度関数（ＣＤＦ）を示し、ここで、長さ−１２のＣＡＺＡＣ−基盤シーケンスは、長さ−１１のＺＣシーケンスを循環的に延長し、長さ−１３のＺＣシーケンスを切断し、コンピュータ検索を通じて長さ−１２のＣＡＺＡＣ−基盤シーケンスを生成することによって発生する。相互−相関値での偏差は、容易に観察可能である。このような偏差は、相異する長さを有するＣＡＺＡＣ−基盤シーケンス同士間の相互−相関の場合、広い分布を有する。
【００２５】
ＣＡＺＡＣ−基盤シーケンスから構成される信号の受信信頼度に関する大きい相互−相関の影響は、シーケンスホッピングを通じて緩和できる。疑似乱数ホッピングパターンは、この技術分野では公知であり、多様な応用で使われる。このような一般的な疑似乱数ホッピングパターンは、シーケンスホッピングに対する基準の役目をする。このような方式により、相異するＳＣ−ＦＤＭＡシンボルで、ＡＣＫ／ＮＡＫ、ＣＱＩ、またはＲＳ信号の連続的な送信間で使われるＣＡＺＡＣ−基盤シーケンスは、疑似乱数パターンに変更できる。これは、ＣＡＺＡＣ−基盤発生された信号が大きい相互間の相互−相関に従属され、対応的に、これら送信シンボルに亘っての大きい干渉に遭遇する確率を減少させる。
【００２６】
したがって、最小の実現複雑性でＣＡＺＡＣ−基盤シーケンスのホッピングをサポートすることによって、ＣＡＺＡＣ−基盤シーケンス間の平均干渉を減少させることが必要である。
【００２７】
また、通信システムの相異するＮｏｄｅ Ｂと同一なＮｏｄｅ Ｂでの相異するセルでの計画を通じて、ＣＡＺＡＣ−基盤シーケンスを割り当てることが必要である。
【００２８】
最後に、サービングＮｏｄｅ ＢからＵＥへのシーケンス割り当て（計画）、またはシーケンスホッピングパラメータを通信するためのシグナリングオーバーヘッドを最小化することが必要である。
【発明の概要】
【発明が解決しようとする課題】
【００２９】
本発明は、少なくとも前述した問題及び／または短所を対処すると共に、少なくとも後述する利点を提供するためになされた。したがって、本発明の態様は、ＣＡＺＡＣ−基盤シーケンスホッピングまたはシーケンス計画をサポートする装置及び方法を提供するものである。
【００３０】
本発明の他の様態は、ＵＥ送信機とＮｏｄｅ Ｂ受信機で最小の実現複雑性を有するＣＡＺＡＣ−基盤シーケンスホッピングを可能とし、これは全ての可能なチャンネルでの信号送信で使われるシーケンスに同一なホッピングパターンの適用によってなされる。
【００３１】
また、本発明の様態は、ＵＥ送信機とＮｏｄｅ Ｂ受信機で最小の実現複雑性を有するＣＡＺＡＣ−基盤シーケンスホッピングを可能とし、これは可能な資源ブロック割り当てが１つの可能な資源ブロック割り当てのために獲得された最小のシーケンス個数と一致するようにシーケンスセットでの全シーケンス個数の制限によりなされる。
【００３２】
本発明の追加的な様態は、サービングＮｏｄｅ ＢからＵＥへのシーケンス割り当てパラメータを通信するための最小のシグナリングオーバーヘッドにより、ＣＡＺＡＣ−基盤シーケンスホッピング及び計画を可能にする。
【課題を解決するための手段】
【００３３】
本発明の一態様によれば、ユーザ装置が、信号を送信する方法及び装置が提供され、ユーザ装置は、サブフレームの全てのシンボルで１つのシーケンスを用いて信号を送信し、ここで、資源ブロック割り当てが所定の値以下の場合には信号が送信され、そして、ユーザ装置は、サブフレームの第１のシンボルと第２のシンボルで、各々第１のシーケンスと第２のシーケンスを用いて信号を送信し、ここで資源ブロック割り当てが所定の値より大きい場合には信号が送信される。
【００３４】
本発明の他の態様によれば、ユーザ装置が、信号を送信する装置及び方法が提供され、ユーザ装置は、サブフレームのシンボルでフルセットのシーケンスからのシーケンスを用いて信号を送信し、ここで、資源ブロック割り当てが所定の値以下の場合には、信号が送信され、そして、ユーザ装置は、サブフレームのシンボルでサブセットのシーケンスからのシーケンスを用いて信号を送信し、ここで、資源ブロック割り当てが所定の値より大きい場合には信号が送信される。
【００３５】
本発明の追加的な実施形態によれば、ユーザ装置が、信号を送信する装置及び方法が提供され、ユーザ装置は、シーケンスセットからのシーケンスを用いてデータチャンネルで信号を送信し、ここで、信号が送信されるサブフレームの各シンボルのシーケンスは、疑似乱数ホッピングパターンに従って決定され、そして、ユーザ装置は、シーケンスセットからのシーケンスを用いて制御チャンネルで信号を送信し、ここで、信号が送信されるサブフレームの各シンボルでのシーケンスは、同一な疑似乱数ホッピングパターンに従って決まる。信号及び信号が送信されるシンボルの個数は、データチャンネルと制御チャンネルとの間で異なることがあるが、シーケンスホッピングパターンは適用速度を調整することによって（シーケンスホッピングを用いた信号送信の場合、より大きいシンボル個数を持つチャンネルに対し、より遅い速度が適用される）同一に維持される。
【００３６】
本発明の追加的な実施形態によれば、ユーザ装置が信号を送信する装置及び方法が提供され、ユーザ装置は、シーケンスセットからの１つ以上のシーケンスを用いて制御チャンネルで信号を送信し、ここで、第１のシーケンスはサービングＮｏｄｅ Ｂによりシグナリングされ、そして、ユーザ装置は、シーケンスセットからの１つ以上のシーケンスを用いてデータチャンネルで信号を送信し、ここで、第１のシーケンスはサービングＮｏｄｅ Ｂによりシグナリングされたような、制御チャンネルで使われた各シーケンスセットでの第１のシーケンスに対してシフトを適用することによって、シーケンスセットから決まる。可逆関係は、制御チャンネルとデータチャンネルで第１のシーケンスを決定するに当たって適用できる。
【発明の効果】
【００３７】
本発明の方法によれば、ＣＡＺＡＣ−基盤シーケンスのためのシーケンス計画、またはシーケンスホッピングを可能にし、ＵＥ送信機とＮｏｄｅ Ｂ受信機での各々の実現複雑性を最小化し、シーケンス計画またはシーケンスホッピングパターンを構成することに要求されるシグナリングオーバーヘッドを最小化することが可能となる。
【図面の簡単な説明】
【００３８】
本発明の前述した態様及び他の態様、特性、及び利点は、添付図面を参照して下記の詳細な説明からより明らかとなる。
【図１】ＳＣ−ＦＤＭＡ通信システムのサブフレーム構造を示す図である。
【図２】ＡＣＫ／ＮＡＫビットの送信のためのスロット構造の区分化を示す図である。
【図３】ＣＱＩビットの送信のためのスロット構造の区分化を示す図である。
【図４】時間ドメインで、ＣＡＺＡＣ−基盤シーケンスを用いてＡＣＫ／ＮＡＫ信号、ＣＱＩ信号、または基準信号を送信するＳＣ−ＦＤＭＡ送信機を示すブロック図である。
【図５】時間ドメインで、ＣＡＺＡＣ−基盤シーケンスを用いてＡＣＫ／ＮＡＫ信号、ＣＱＩ信号、または基準信号を受信するＳＣ−ＦＤＭＡ受信機を示すブロック図である。
【図６】周波数ドメインで、ＣＡＺＡＣ−基盤シーケンスを用いてＡＣＫ／ＮＡＫ信号、ＣＱＩ信号、または基準信号を送信するＳＣ−ＦＤＭＡ送信機を示すブロック図である。
【図７】周波数ドメインで、ＣＡＺＡＣ−基盤シーケンスを用いてＡＣＫ／ＮＡＫ信号、ＣＱＩ信号または基準信号を受信するＳＣ−ＦＤＭＡ受信機を示すブロック図である。
【図８】ルートＣＡＺＡＣ−基盤シーケンスに相異する循環シフトの適用を通じて直交ＣＡＺＡＣ−基盤シーケンスの構成を示すブロック図である。
【図９】長さ１２のＣＡＺＡＣ−基盤シーケンスに対する相互−相関値のＣＤＦを示す図である。
【図１０】本発明の実施形態に従うグループシーケンス計画を通じて相異するセルや相異するＮｏｄｅ Ｂに対するシーケンスグループ割り当てを示す図である。
【図１１】本発明の実施形態に従うグループシーケンス計画が使われる場合の６個以上のＲＢの割り当てのためにサブフレーム内のシーケンスホッピングを示す図である。
【図１２】本発明の実施形態に従うグループシーケンスホッピングを通じて相異するセルや相異するＮｏｄｅ Ｂに対するシーケンスグループ割り当てを示す図である。
【図１３】本発明の実施形態に従うグループシーケンスホッピングが使われる場合のサブフレーム内のシーケンスホッピングを示す図である。
【図１４】本発明の実施形態に従う同一なＮｏｄｅ Ｂのセルに対する相異する循環シフトで相異するシーケンスを割り当てた例を示す図である。
【図１５】本発明の実施形態に従うＰＵＳＣＨシーケンスからＰＵＣＣＨシーケンスを決定することを示す図である。
【図１６】本発明の実施形態に従うシフトを適用することによってＰＵＳＣＨシーケンスからＰＵＣＣＨシーケンスを決定することを示す図である。
【発明を実施するための形態】
【００３９】
本発明の好ましい実施形態を添付図面を参照しつつ詳細に説明する。他の図面で図示された同一または類似な構成要素は同一または類似な参照番号により指定される。本技術分野で公知の構成または過程の詳細な説明は、本発明の要旨を曖昧にすることを避けるために省略する。
【００４０】
付加的に、本発明はＳＣ−ＦＤＭＡ通信システムを仮定するが、本発明はまた、一般的に全ての周波数分割多重化（ＦＤＭ）システム、及び、直交周波数分割多重接続（ＯＦＤＭＡ）、直交周波数分割多重化（ＯＦＤＭ）、周波数分割多重接続（ＦＤＭＡ）、離散フーリエ変換（ＤＦＴ）−拡散ＯＦＤＭ、ＤＦＴ−拡散ＯＦＤＭＡ、単一−搬送波ＯＦＤＭＡ（ＳＣ−ＯＦＤＭＡ）、及び、特に単一−搬送波ＯＦＤＭに適用されうる。
【００４１】
本発明の実施形態の方法は、前述した必要性と関連した問題を解決するが、ＣＡＺＡＣ−基盤シーケンスのためのシーケンス計画、またはシーケンスホッピングを可能にし、ＵＥ送信機とＮｏｄｅ Ｂ受信機での各々の実現複雑性を最小化し、シーケンス計画またはシーケンスホッピングパターンを構成することに要求されるシグナリングオーバーヘッドを最小化する。
【００４２】
前述した背景技術で論議されたように、ＣＡＺＡＣ−基盤シーケンスの構成は多様な方法によりなされることができる。Zadoff-Chu（ＺＣ）シーケンスの循環式延長または切断により提供されるシーケンス個数は、シーケンス長さに依存する。対応するＲＢ割り当てに対する一部の特性値が＜表１＞に図示されるが、ここで、１つのＲＢは１２個の副搬送波から構成されると仮定する。
【００４３】
【表１】
0005539456.tif 000003
【００４４】
ＣＡＺＡＣ−基盤シーケンスの個数は対応するシーケンス長さに依存するため、より長さの大きいシーケンス個数は、より長さの小さいシーケンス個数と関連できる。例えば、＜表１＞を参照すれば、ＺＣシーケンスの循環式延長の場合には、長さ１２の各１０個のシーケンスは、長さ７２の７個のシーケンスセットと関連（１対１マッピング）できる（長さ７２で７０個のシーケンスがあるためである）。さらに、小さなＲＢ割り当て、例えば、１ＲＢまたは２ＲＢの場合のシーケンス個数は最小となり、隣接セルとＮｏｄｅ Ｂでの相異するシーケンス割り当てに制約を定義する（１つのＮｏｄｅ Ｂは多数のセルを含むことができる）。これらのシーケンスのために、疑似乱数のホッピングパターンがそれらの送信を適用する場合には、同じシーケンスは、送信の十分な干渉に対して生じる近隣のセルの中でしばしば使用され、多くの場合、ＣＡＺＡＣ−基盤シーケンスの使用を通して伝達された信号の受信信頼性の低下に関連する場合がある。
【００４５】
小さなＲＢ割り当てのために利用可能なＣＡＺＡＣ−基盤シーケンスの小さな個数から発生するシーケンス割り当て問題を緩和するために、コンピュータ検索を通じて構成されるＣＡＺＡＣシーケンスが使用可能であるが、このような方式により、より大きい個数のシーケンスが獲得されるためである。しかしながら、ＺＣシーケンスの循環式延長または切断から獲得されるＣＡＺＡＣ−基盤シーケンスとは異なり、コンピュータで生成されたＣＡＺＡＣシーケンスに対する閉形式（closed form）表現は存在せず、このようなシーケンスはメモリに格納されなければならない。このような理由により、このような使用は、ＣＡＺＡＣ−基盤シーケンスの不足が最も深刻な、典型的に小さなＲＢ割り当てに制限される。より大きいＲＢ割り当ての場合には、ＣＡＺＡＣ−基盤シーケンスは、ＺＣシーケンスの生成のために説明された数式などの実現を通じて生成される。１ＲＢの割り当てのために約３０個のコンピュータ生成されたＣＡＺＡＣシーケンスが獲得可能であり、２ＲＢの割り当てに対して同一な個数のシーケンスを獲得することによって、シーケンス計画及びシーケンスホッピングは、１つ、２つ、または３つのＲＢ割り当てのためのシーケンス個数により制限される。好ましい実施形態において、その個数は３０である。
【００４６】
本発明は、３ＲＢ以上の割り当てのために、ＣＡＺＡＣ−基盤シーケンスの生成のためのＺＣシーケンスの循環式延長を考慮し、１ＲＢと２ＲＢの割り当てのために、コンピュータ生成されたＣＡＺＡＣシーケンスを考慮する。
【００４７】
本発明の実施形態によれば、ＵＥからのＰＵＣＣＨ送信は、１つのＲＢを占めて、１ＲＢより大きい割り当てはＰＵＳＣＨだけのために使われることと仮定する。本実施形態において、ＰＵＳＣＨは、サブフレーム当たり２つのＲＳ送信シンボルを含む。したがって、ＰＵＳＣＨサブフレーム内で唯１つのシーケンスホッピング可能性のみ存在する。
【００４８】
公知のハイブリッド自動反復要請（ＨＡＲＱ）に基づいたパケット再転送の場合には、ＲＳ送信のために使われるＣＡＺＡＣ−基盤シーケンスにより経験される干渉は、再転送間で異なるようになる。これは、パケット再転送の間に相異するＲＢ割り当て（相異するサイズまたは相異するＢＷ位置により２つのＣＡＺＡＣシーケンスの間に部分的な重畳をもたらす）が、干渉セルでのＵＥに用いられる可能性があるためである。さらに、チャンネル特性は再転送間で異なるようになることができ、これはまた、干渉ＣＡＺＡＣシーケンス間で相異する相互−相関特性をもたらす。したがって、各ＲＢ割り当てに対するシーケンス個数を２つより大きく延長することは、ＰＵＳＣＨ受信品質に殆どまたは全く利益がない。
【００４９】
前述した理由により、本発明は、利用可能なシーケンスの全セットからシーケンスのサブセットのみを用いることを考慮する。このようなシーケンスは、これらの相互−相関に従って、及び／または、これらのCM（Cubic Metric）値に従って固定及び選択され、両者の場合では小さい値が好ましい。より大きいＲＢ割り当てのためのホッピングで使用可能なシーケンス個数の制限により、シーケンスグループの個数とサポートが要求される対応するホッピングパターンの個数を減少させ、これによってシーケンスホッピングをサポートするための複雑性及びシグナリングオーバーヘッドを減少させる。
【００５０】
シーケンスの制限及びこれに従うホッピングパターンの制限がより小さなＲＢ割り当てで発生し、本発明の実施形態が、ＰＵＳＣＨサブフレーム当たり２つのＲＳを仮定することを考慮すれば、小さいＲＢの割り当てに対する１つのシーケンスは、より大きいＲＢ割り当てに対する２つのシーケンスと関連できる。本実施形態において、１ＲＢと２ＲＢ割り当てに対し、３０個のコンピュータ生成されたＣＡＺＡＣシーケンスを仮定する場合に、相異するＲＢ割り当てに対するシーケンスのグループ化は３０個のグループを発生させ、ここで、各グループは、５個のＲＢまでの割り当てに対して１つのＣＡＺＡＣ−基盤シーケンスを含み、５より大きいＲＢ割り当てに対し、２つのＣＡＺＡＣ−基盤シーケンスを含む（＜表１＞）。各グループのシーケンスは相異する。
【００５１】
グループ化の原理は＜表２＞で要約される。本発明の実施形態において、３０個のシーケンスグループがある（３０個のシーケンスでの各シーケンスグループと各シーケンスの間に１対１マッピングが仮定される）。＜表１＞からの利用可能なシーケンスの個数を考慮すれば、４ＲＢ割り当て（４６個のシーケンスセットのうち、３０個が使われる）、５ＲＢ割り当て（５８個のシーケンスセットのうち、３０個が使われる）、及び６個以上のＲＢ割り当て（７０個以上のシーケンスセットのうち、６０個が使われる）に対するサブセットシーケンスのみ使われることが明らかである。前述したように、このようなシーケンスのサブセットは、相互−相関及び／またはCM（Cubic Metric）特性に対して固定及び選択できる。したがって、シーケンスグループの個数は、最小シーケンスセットサイズと一致し、本実施形態でこれは３０と一致する。ここで、各グループは５ＲＢまでの割り当てに対して１つのシーケンスを含み、５個より大きいＲＢ割り当てのために２つのシーケンスを含み、各セットは５個以下のＲＢ割り当てのために３０個のシーケンスを含み、５個より大きいＲＢ割り当てのために６０個のシーケンスを含む。
【００５２】
【表２】
0005539456.tif 000004
【００５３】
本発明は、セルまたはＮｏｄｅ Ｂに対するＣＡＺＡＣシーケンス割り当てが計画またはホッピングを通じてなされることと考慮する。シーケンス計画及びシーケンスホッピング全てが通信システムでサポート可能な場合には、ＵＥは、Ｎｏｄｅ Ｂにより配信される各表示器を通じて計画またはホッピングに対する選択の通知を受ける（シーケンス計画またはシーケンスホッピングが使われるかを表示するために１ビットが必要とされる）。
【００５４】
シーケンス計画は隣接セルとＮｏｄｅ Ｂに各々３０個グループのシーケンスを割り当てるが、各グループは５個までのＲＢ割り当てに１つのシーケンスを含み、５個より大きいＲＢ割り当てに２つのシーケンスを含む。したがって、同一グループのシーケンスを用いたセル間の地理的分離は好ましく最大化される。割り当ては、グループシーケンス個数の配信を通じて明示的でありえるが、３０個のシーケンスグループを有する本実施形態では５ビットの配信を通じて通信できる。あるいは、これはセル識別子とグループシーケンスの個数とを関連させることによって、内在的でありえる。これは、最小サイズを有するシーケンスセットから１つのシーケンスを特定することに相当する（これは、このような各シーケンスと各シーケンスグループ間の１対１マッピングが仮定されるためである）。本実施形態において、これは１ＲＢ、２ＲＢ、または３ＲＢ割り当てに対応する３０個のシーケンスセットのうちの１つとなる。
【００５５】
このような原理は、セル基盤及びＮｏｄｅ Ｂ基盤シーケンスグループ割り当てのための図１０で図示される（Ｎｏｄｅ Ｂは３個のセルをサービングすることと仮定される）。セル基盤シーケンスグループ割り当ての場合には、相異するセル、例えば、セル（１０１０及び１０２０）には、相異するシーケンスグループが割り当てられることと仮定される。Ｎｏｄｅ Ｂ基盤シーケンスグループ割り当ての場合には、相異するセル、例えば、Ｎｏｄｅ Ｂ（１０３０及び１０４０）には相異するシーケンスグループが割り当てられることと仮定される。明らかに、全てのシーケンスグループを使用した以後には、セルまたはＮｏｄｅ Ｂで同一なシーケンスグループを有することを回避できないが、目標は、このようなセルまたはＮｏｄｅ Ｂの間で大きい地理的分離を生じさせることである。したがって、同一なシーケンスの使用から引き起こされる干渉は無視することができる。
【００５６】
図１１に示すように、シーケンスホッピングは、ＰＵＳＣＨサブフレームの２つのＲＳ送信シンボルの間に６個以上のＲＢの割り当てのためにシーケンス対の間で変わらず適用される。これは、相異するセルでのＵＥから送信されるシーケンス間の相互−相関の追加的な乱数化を提供し、これによって純粋なシーケンス計画を通じて達成されるものより強固な受信信頼度を提供する。計画のために全てのシーケンスグループが使われることを仮定する場合には、６個のＲＢより長さの小さいシーケンスには如何なるホッピングも適用できない。したがって、ＵＥに対するＰＵＳＣＨ割り当てが、６ＲＢより小さな場合には、同一ＣＡＺＡＣシーケンスが、ＲＳ送信シンボル（１１１０及び１１２０）で使われるが、ＰＵＳＣＨ割り当てが６ＲＢ以上の場合には、各シンボル（１１１０及び１１２０）でのＲＳ送信で２つの可能なＣＡＺＡＣシーケンスのうち、相異するＣＡＺＡＣシーケンスが使われる。
【００５７】
シーケンス計画が使われない場合には、本発明は、代りに任意の可能なＲＢ割り当てのための連続的な送信インスタンス間でのＲＳ送信のために使われるシーケンスのために、シーケンスホッピングが適用されると仮定する。図１のＰＵＳＣＨサブフレームの２つのシンボルでのＲＳ送信は、２つの典型的に相異するシーケンスグループからのシーケンスに基づく。しかしながら、シーケンスホッピングパターンを定義することに要求される複雑性とシグナリングを制限するための目的に、そしてシーケンスホッピングが使われる場合に５個より大きいＲＢ割り当てのためにグループ当たり１より大きいシーケンスを有することにより何らの付加的な利益がないため、各ＲＢ割り当てに対するただ１つのシーケンスのみ任意の３０個グループのシーケンスに対して存在する。言い換えれば、各可能なＲＢ割り当てのためにただ１つのシーケンスのみ使われるように選択され（＜表２＞の全ての要素は１つのシーケンスを含み）、全てのシーケンスセットは同一な個数のシーケンスを含むが、これはシーケンスグループの個数と同一である。図１２及び図１３は、このような概念を追加的に説明する。図１２で、各セルで相異する送信期間の間に、相異するシーケンスグループ、例えば（１２１０及び１２３０）または（１２２０及び１２４０）が使われる。
【００５８】
図１３で、連続的なＲＳ送信（１３１０及び１３２０）の間に、ＵＥにより使われるシーケンスは、各セルで配信シグナリングを通じて明示的に初期化されるか、あるいは、配信されたセル識別子を通じて内在的に初期化されるシーケンスホッピングパターンによって変わる。シーケンスホッピングパターンは、全てのセルに対して同一であることができ、そしてただその初期化のみが初期シーケンスグループを特定することによって、または等価的にＲＢ割り当てに対する初期シーケンスを特定することによってセル従属的であることができるが、これはセットの各シーケンスと各シーケンスグループ間の１対１マッピングが仮定されるためである。第１の送信期間は、１フレーム期間で第１サブフレームの第１のスロットに対応することができ（例えば、フレームは１０個のサブフレームから構成される）、または任意の他の所定の送信インスタンスに対応することができる。同一な概念は、Ｎｏｄｅ Ｂ特定シーケンスホッピングに明らかに延長できる。
【００５９】
ＰＵＣＣＨ信号（ＡＣＫ／ＮＡＫ、ＣＱＩ、及びＲＳ）とＰＵＳＣＨ ＲＳ両方に対するシーケンスホッピングが、サポート可能であり、各シグナリングは後続的に考慮される。
【００６０】
ＰＵＣＣＨ ＵＥ多重化性能を最大化するために、ＣＡＺＡＣシーケンスの循環シフト（ＣＳ）の全てが、セル内のＰＵＣＣＨ送信のために使われることと仮定され、これによって、互いに異なるセルで相異するＣＡＺＡＣシーケンスの使用を必要とする（図１０でのセル基盤グループ割り当て）。しかしながら、ＰＵＳＣＨの場合には、これはこの技術分野で知られたように、空間ドメイン多重接続（ＳＤＭＡ）の適用範囲に依存する。ＳＤＭＡにおいて、多数のＵＥは、自身のＰＵＳＣＨ送信のために同一のＲＢを共有する（ＰＵＣＣＨに対してはどんなＳＤＭＡも適用されないが、各セルで全てのＣＳが使われると仮定されるためである）。
【００６１】
ＳＤＭＡがなかったり、またはセル当たり最大４個のＵＥにＳＤＭＡ適用された場合には、１２個のＣＳが使われることと仮定する際、同一のＣＡＺＡＣシーケンスが同一のＮｏｄｅ Ｂの隣接セル間で使われるが、各セルでＰＵＳＣＨ ＲＳを区別するために相異するＣＳが使われる。これは、Ｎｏｄｅ Ｂ基盤シーケンスグループ割り当ての場合で、図１０と結合された図１４で図示される。セル１４１０、１４２０、及び１４３０は、同一のシーケンスグループを使用するが、即ち任意の所定のＰＵＳＣＨ ＲＢ割り当てのために同一のＣＡＺＡＣ−基盤シーケンスが使われるが、シーケンスを分離するために相異するＣＳを用いる。
【００６２】
（Ｎｏｄｅ Ｂ当たり３個のセルがある場合）セル当たり４個以上のＵＥに適用されるＳＤＭＡの場合には、相異するセルのＵＥからＰＵＳＣＨ ＲＳを分離するために、他のＣＳの使用に依存することが可能でないことがある。したがって、ＰＵＣＣＨの場合と同様に、セル当たり異なるＣＡＺＡＣ−基盤シーケンスが使われる必要がある（図１０のセル基盤グループ割り当て）。（同一なＣＡＺＡＣ−基盤シーケンスの異なるＣＳを通じて、または異なるＣＡＺＡＣ−基盤シーケンスを通じて）Ｎｏｄｅ Ｂの相異するセルのＵＥからＰＵＳＣＨ ＲＳに対する分離方法に関わらず、本発明は、ＰＵＣＣＨに対するシーケンスホッピングパターンがＰＵＳＣＨに対するシグナリングされたシーケンスホッピングパターンから導出されること（また、逆関係が適用されることができること）を考慮する。
【００６３】
例えば、シーケンス計画を通じてＮｏｄｅ ＢのセルでＰＵＳＣＨ ＲＳ送信のために相異するＣＡＺＡＣ−基盤シーケンスが使われる場合（図１０のセル基盤グループ割り当て）には、本発明は、同一なＣＡＺＡＣシーケンスが、ＰＵＳＣＨ ＲＳの１ＲＢ割り当てとＰＵＣＣＨ（これに対する信号送信は常に１ＲＢに亘ってなされることと仮定される）に対して使用できることを考慮する。したがって、サービングセルの配信チャンネルでの明示的なシグナリングを通じて、あるいは、配信されたセル識別子に対する内在的なマッピングを通じたＰＵＳＣＨに対する初期シーケンスグループ割り当ては、ＰＵＣＣＨ送信で使われるシーケンスを決定する。この概念は図１５で図示される。
【００６４】
注目する事項として、ＰＵＣＣＨ信号（ＲＳ及び／またはＡＣＫ／ＮＡＫ及び／またはＣＱＩ）は、サブフレーム内でより多いシーケンスホッピングインスタンスを許容できるが（シンボル−基盤シーケンスホッピング）、同一のホッピングパターンが相変わらず適用できるが、これはＰＵＳＣＨ ＲＳに対して単に一層長い時間スケールを有する必要があるためである。ＰＵＣＣＨ信号に対するシーケンスホッピングがスロット基盤であり、シンボル基盤でない場合には、ＰＵＳＣＨ及びＰＵＣＣＨは同一のシーケンスホッピングパターンを使用する。
【００６５】
同一なＮｏｄｅ Ｂの互いに異なるセルでのＰＵＳＣＨ ＲＳ送信のために同一のＣＡＺＡＣシーケンスが使われる場合（図１０のＮｏｄｅ Ｂ基盤シーケンスグループ割り当て）には、ＰＵＣＣＨ送信のための同一のＮｏｄｅ Ｂの各セルで相異するＣＡＺＡＣシーケンスが使われる場合にもＰＵＣＣＨ送信のためのシーケンスホッピングパターンは変わらずＰＵＳＣＨ ＲＳ送信のシーケンスホッピングパターンにより決定できる。これは、ＰＵＳＣＨ ＲＳ送信に適用された初期シーケンスのシフトのみに対するＮｏｄｅ Ｂシグナリングにより達成されるが、このようなシフトはＰＵＣＣＨに対する１ＲＢに亘ったＣＡＺＡＣシーケンスのセットで、相異するＣＡＺＡＣシーケンスにシーケンスホッピングパターンを初期化することに対応する。明らかに、図１６で後続的に示すように、循環式値（Ｓ）の追加はシーケンスセットに亘って循環的であるが、これは循環式値（Ｓ）が、シーケンスセットのサイズ（Ｋ）のモジュロにより適用されることを意味する。ここで、モジュロ演算はこの技術分野で知られている。したがって、数学的な観点で、ＰＵＳＣＨに対するホッピングパターンがシーケンス個数（Ｎ）に初期化される場合には、ＰＵＣＣＨに対するホッピングパターンは、各シーケンスセットでシーケンス個数Ｍ＝（Ｎ＋Ｓ）ｍｏｄ（Ｋ）に初期化される。ここで、（Ｎ＋Ｓ）ｍｏｄ（Ｋ）=（Ｎ＋Ｓ）−ｆｌｏｏｒ（（Ｎ＋Ｓ）／Ｋ）・Ｋであり、この技術分野で知られたように“フロア（floor）”演算は数字をより低い整数に切り下げる。
【００６６】
シフトは、ＰＵＣＣＨ信号のＲＢ割り当てのためのシーケンス個数と一致するビット個数により特定できる。ＰＵＣＣＨ ＲＢ割り当てが１ＲＢに対応する最小の数字となる場合には、この数字は、シーケンスグループの個数と同一である（本実施形態において、５ビットがシーケンスセットで３０個のシーケンスのうちの１つを、または等価的に３０個のシーケンスグループのうちの１つを特定する必要である）。代案的に、データチャンネルに対するＲＳ送信に適用されたホッピングパターンの第１のシーケンス近辺で使われたものと隣接したインデックスを有するシーケンスのみにシフトの範囲を制限することによって、該当シグナリングオーバーヘッドは減少できる。この場合に、以前のシーケンス、同一シーケンス、または、後続シーケンスを表示するために、２つのビットのみ必要である。
【００６７】
前述した事項は図１６に図示される。本実施形態において、シフト０（１６１０）、シフト１（１６２０）、及びシフト−１（１６３０）は、ＰＵＳＣＨ送信（１６４０）に対するシーケンスホッピングパターンに対し、３個の互いに異なるセルでＰＵＣＣＨ送信のシーケンスホッピングパターンに適用される。相異するシーケンスホッピングパターンは、単純に同一なシーケンスホッピングパターン（１６４０）の循環シフト（シフト値の追加はシーケンスセットサイズのモジュロである）に対応し、または等価的に互いに異なるシーケンスホッピングパターンが同一なホッピングパターンの異なる初期化に対応する。ＰＵＳＣＨに対するホッピングパターンの初期化は、前述したように明示的、あるいは内在的にシグナリングされることができ、ＰＵＣＣＨに対する初期化パターンのためのシフトはＰＵＳＣＨに対する初期シーケンス（これは、シーケンスセットの第１のシーケンスとは異なることがある）に対して決まる。ＰＵＳＣＨとＰＵＣＣＨの前述した役目は、逆転されることができ、該当シフトは、ＰＵＣＣＨの代りに、セルでＰＵＳＣＨホッピングパターンの初期化を定義することができる。この技術分野で典型的に知られた概念により、時間観点でのホッピングパターンの開始は、フレームまたはスーパーフレーム（両方ともは多数のサブフレームから構成される）での第１のサブフレームの第１のスロットに対して定義できる。
【００６８】
本発明は一定な好ましい実施形態に従って図示及び説明されたが、下記の請求範囲により定義されたように、本発明の思想と範疇から外れることなく、形態と細部事項における多様な変化がなされることができることは技術分野の当業者が理解可能である。
【図１】
0005539456.tif 000005
【図２】
0005539456.tif 000006
【図３】
0005539456.tif 000007
【図４】
0005539456.tif 000008
【図５】
0005539456.tif 000009
【図６】
0005539456.tif 000010
【図７】
0005539456.tif 000011
【図８】
0005539456.tif 000012
【図９】
0005539456.tif 000013
【図１０】
0005539456.tif 000014
【図１１】
0005539456.tif 000015
【図１２】
0005539456.tif 000016
【図１３】
0005539456.tif 000017
【図１４】
0005539456.tif 000018
【図１５】
0005539456.tif 000019
【図１６】
0005539456.tif 000020